(57)【要約】【課題】複数の警報器とガスメータとを接続する施工を容易に行うことができる警報器を提供する。【解決手段】ガス警報器３を、ＣＯ警報器２からの第２警報器入力信号を受信できるように設けると共に、ガスメータ４と双方向通信できるように設ける。ガス警報器３が、ガス漏洩を検出したときと、ＣＯ警報器２から第２警報器入力信号を入力したときとに、ガスメータ４に対して第１警報器入力信号を送信させると共に、ガスメータからのメータアンサ信号を受信させ、メータアンサ信号を受信するとその旨を報知する。【選択図】図１
2015215652.tif 000002
【特許請求の範囲】
【請求項１】
異常を検出する異常検出手段と、ガスメータと通信を行う通信手段と、前記通信手段を制御して、前記異常検出手段により異常を検出したときに前記ガスメータに対して第１警報器入力信号を送信させる制御手段と、を備えた警報器において、
他の警報器からの第２警報器入力信号を受信する受信手段をさらに備え、
前記制御手段が、前記受信手段により他の警報器からの第２警報器入力信号を受信したときに前記ガスメータに対して前記第１警報器入力信号を送信させる
ことを特徴とする警報器。
【請求項２】
前記通信手段が、前記ガスメータとの双方向通信可能であり、
前記第１警報器入力信号が、前記ガスメータに対して遮断を命令する信号であり、
前記制御手段が、前記第１警報器入力信号を送信した後、前記ガスメータからの遮断が実行された旨のアンサ信号を受信させ、
前記アンサ信号を受信すると、その旨を報知する報知手段をさらに備えた
ことを特徴とする請求項１に記載の警報器。
【発明の詳細な説明】
【技術分野】
【０００１】
本発明は、警報器に係り、特に、ガスメータに連動する警報器に関するものである。
【背景技術】
【０００２】
従来、警報器による異常検出に連動して、ガスを遮断するガスメータが知られている。上記警報器は、異常を検出すると、ガスメータに警報器入力信号を送信する。ガスメータは、この警報器入力信号を受信すると、遮断弁を閉じてガスを遮断すると共に警報器にメータアンサ信号を送信する。
【０００３】
また、複数の警報器を室内に設置して、各警報器の異常検出に連動してガスメータに遮断を行わせることも考えられている。この警報器としては、ガス漏れを異常として検出するガス警報器や、ＣＯ漏洩を異常として検出するＣＯ警報器などが考えられる。
【０００４】
このような場合、従来は、図４に示すように、複数のＣＯ警報器２００、ガス警報器３００それぞれをガスメータ４００に接続していた。しかしながら、殆どの物件において、数十メートルの信号線を室内に設置された各警報器２００、３００と屋外に設置されたガスメータ４００との間で接続する施工が必要であり、施工が大変であった。
【０００５】
また、警報器の中には片方向通信しか行えないものがあり、ガスメータからのメータアンサ信号を受信できず、ガス遮断が行われたことを報知することができない。このため、ガスメータからメータアンサ信号を受信するためには、複数の警報器のすべてを双方向通信できるものに変更しなければならず、コスト的に問題があった。
【発明の概要】
【発明が解決しようとする課題】
【０００６】
そこで、本発明は、複数の警報器とガスメータとを接続する施工を容易に行うことができる警報器を提供することを課題とする。
【課題を解決するための手段】
【０００７】
上記課題を解決するためになされた請求項１記載の発明は、異常を検出する異常検出手段と、ガスメータと通信を行う通信手段と、前記通信手段を制御して、前記異常検出手段により異常を検出したときに前記ガスメータに対して第１警報器入力信号を送信させる制御手段と、を備えた警報器において、他の警報器からの第２警報器入力信号を受信する受信手段をさらに備え、前記制御手段が、前記受信手段により他の警報器からの第２警報器入力信号を受信したときに前記ガスメータに対して前記第１警報器入力信号を送信させることを特徴とする警報器に存する。
【０００８】
請求項２記載の発明は、前記通信手段が、前記ガスメータとの双方向通信可能であり、前記第１警報器入力信号が、前記ガスメータに対して遮断を命令する信号であり、前記制御手段が、前記第１警報器入力信号を送信した後、前記ガスメータからの遮断が実行された旨のアンサ信号を受信させ、前記アンサ信号を受信すると、その旨を報知する報知手段をさらに備えたことを特徴とする請求項１に記載の警報器に存する。
【発明の効果】
【０００９】
以上説明したように請求項１記載の発明によれば、他の警報器と警報器間、警報器とガスメータ間をそれぞれ接続するだけで他の警報器及び警報器の異常検出に応じてガスメータを遮断させることができる。これにより、ガスメータと他の警報器間を接続する必要がなく、複数の警報器とガスメータとを接続する施工を容易に行うことができる。
【００１０】
請求項２記載の発明によれば、他の警報器が片方向通信しかできなくても、双方向通信可能な警報器が他の警報器の代わりにガスメータからのアンサ信号を受信して、その旨を報知することができる。
【図面の簡単な説明】
【００１１】
【図１】本発明の警報器としてのガス漏れ警報器を組み込んだ警報システムの一実施形態を示す図である。
【図２】図１に示すガス漏れ警報器の構成を示す構成図である。
【図３】図１に示すマイコンの処理手順を示すフローチャートである。
【図４】従来の警報器を組み込んだ警報システムの一例を示す図である。
【発明を実施するための形態】
【００１２】
以下、本発明の警報器としてのガス漏れ警報器を組み込んだ警報システムについて図１を参照して説明する。同図に示すように、警報システム１は、室内に設置された他の警報器としてのＣＯ警報器２及び警報器としてのガス警報器３と、屋外のガス配管に設置されたガスメータ４と、を備えている。
【００１３】
ＣＯ警報器２は、ＣＯ漏洩（＝異常）の検出状態が一定時間以上継続すると図示しない接点スイッチのオンオフ状態を切り替えて第２警報器入力信号を外部に送信する。このＣＯ警報器２は、片方向通信可能に設けられ、第２警報器入力信号の送信は行えるが信号の受信は行えない。
【００１４】
ガス警報器３は、図２に示すように、ガス漏れ（＝異常）を検出する異常検出手段としての検出部３１と、検出部３１によりガス漏れが検出されるとその旨を警報する警報部３２と、が別々の場所に設置された分離型の警報器である。
【００１５】
検出部３１は、後述する警報部３２から電源供給を受けて動作し、ガス濃度を検出するガス検出部と、ガス検出部からの検出結果に基づいてガス漏れを検出し、ガス漏れを検出すると警報部３２にその旨を伝える検出信号を出力するマイクロコンピュータ（何れも図示せず）と、を備えている。
【００１６】
警報部３２は、当該警報部３２全体の制御を司る制御手段としてのマイクロコンピュータ３３（以下マイコン３３）と、通電時に点灯される緑色ＬＥＤ３４Ａと、ガス漏れ検出時に点灯される赤色ＬＥＤ３４Ｂと、ガス漏れを音声で警報するスピーカ３５と、ＬＥＤ３４Ａ及び３４Ｂを駆動するための表示出力部３６と、スピーカ３５を駆動するための音声出力部３７と、後述するガスメータ４と双方向通信を行うための通信手段としてのメータ通信部３８と、ＣＯ警報器２からの第２警報器入力信号を受信するための受信手段としての警報器通信部３９と、を備えている。
【００１７】
上記マイコン３３は、周知のＣＰＵ、ＲＯＭ、ＲＡＭから構成されていて、警報処理部３３Ａと、外部出力処理部３３Ｂと、外部入力処理部３３Ｃと、外部入力処理部３３Ｄと、記憶部３３Ｅと、を備えている。警報処理部３３Ａは、表示出力部３６及び音声出力部３７を制御する。警報処理部３３Ａは、検出部３１からの検出信号を受信すると、表示出力部３６及び音声出力部３７を制御してその旨を伝える警報を発生させる。
【００１８】
外部出力処理部３３Ｂは、検出部３１からの検出信号を受信すると、メータ通信部３８からガスメータ４に対して遮断を命令する第１警報器入力信号を送信させる。外部入力処理部３３Ｃは、第１警報器入力信号を出力した後、メータ通信部３８の状態を監視してガスメータ４からの遮断を実行した旨のメータアンサ信号（＝アンサ信号）の受信の有無を判定する。外部入力処理部３３Ｄは、警報器通信部３９の状態を監視してＣＯ警報器２からの第２警報器入力信号の有無を判定する。記憶部３３Ｅは、上記ＲＡＭ、ＲＯＭなどから構成され、マイコン３３の処理に必要なデータなどが格納されている。
【００１９】
上述したＣＯ警報器２とガス警報器３の警報器通信部３９とは信号線により接続され、ガス警報器３がＣＯ警報器２からの第２警報器入力信号を受信できるようになっている。ＣＯ警報器２とガス警報器３とは室内の近い場所に設置されることが多く、互いを接続する信号線は短くて済む。
【００２０】
ガスメータ４は、流量センサと、ガス遮断弁と、ガスメータ４全体を司るマイクロコンピュータと（何れも図示せず）、を備えた周知のメータである。ガスメータ４は、ガス警報器３から第１警報器入力信号を受信すると、ガス遮断弁を弁閉するとともにその旨を伝えるメータアンサ信号をガス警報器３に対して送信する。
【００２１】
上述したガス警報器３のメータ通信部とガスメータ４とは信号線により接続され、ガス警報器３とガスメータ４とが双方向通信できるようになっている。
【００２２】
次に、上述した構成のガス警報器３の動作について図３のフローチャートを参照して説明する。警報部３２に電源を投入すると、マイコン３３は、動作を開始して、まず、緑色ＬＥＤ３４Ａを常時点灯させる。その後、マイコン３３は、検出部３１から検出信号を入力すると赤色ＬＥＤ３４Ｂを常時点灯させると共にスピーカ３５から警報音を発生させて警報を発生させる警報発生処理を行う。
【００２３】
また、マイコン３３は、警報発生処理と同時にメータ連動処理も行っている。このメータ連動処理において、マイコン３３は、検出部３１からの検出信号が一定時間継続して入力されているか否かを判定する（ステップＳ１）。
【００２４】
検出部３１からの検出信号が一定時間以上継続していれば（ステップＳ１でＹ）、マイコン３３は次のステップＳ２に進む。また、マイコン３３は、ＣＯ警報器２から第２警報器入力信号を受信したときも（ステップＳ５でＹ）、ステップＳ２に進む。
【００２５】
ステップＳ２において、マイコン３３は、メータ通信部３８からガスメータ４に対して第１警報器入力信号を送信する。即ち、ガス警報器３自体がガス漏れを検出したときと、ＣＯ警報器２がＣＯ漏れを検出したときと、にガス警報器３からガスメータ４に対して第１警報器入力信号が送信される。
【００２６】
ガスメータ４は、第１警報器入力信号が所定時間以上継続して入力されるのを待って、ガス遮断弁を弁閉するとともにその旨を示すメータアンサ信号をガス警報器３に対して送信する。ガス警報器３のマイコン３３は、ガスメータ４からのメータアンサ信号を受信すると（ステップＳ３でＹ）、報知手段として働き、スピーカ３５から「ガスが遮断されました」などの音声を出力し、ガス遮断を報知した後（ステップＳ４）、ステップＳ１に戻る。一方、検出信号が一定時間以上継続していない場合（ステップＳ１でＮ）、第２警報器入力信号を受信していない場合（ステップＳ５でＮ）、マイコン３３は、第１警報器入力信号を送信していればその送信を停止した後（ステップＳ６）、ステップＳ１に戻る。
【００２７】
上述した実施形態によれば、ガス警報器３は、ＣＯ警報器２からの警報入力信号を受信する警報器通信部３９を備え、マイコン３３が、ＣＯ警報器２からの第２警報器入力信号を受信したときもガスメータ４に対して第１警報器入力信号を送信させる。これにより、図１に示すように、ＣＯ警報器２とガス警報器３間、ガス警報器３とガスメータ４間をそれぞれ接続するだけでＣＯ警報器２及びガス警報器３の異常検出に応じてガスメータ４を遮断させることができる。よって、ガスメータ４とＣＯ警報器２間を接続する必要がなく、複数の警報器２、３とガスメータ４とを接続する施工を容易に行うことができる。
【００２８】
また、上述した実施形態によれば、メータ通信部がガスメータとの双方向通信が可能であり、マイコン３３が、ガス漏れを検出したときと、ＣＯ警報器２からの第２警報器入力信号を受信したときとに、ガスメータ４に対して第１警報器入力信号を送信させると共にメータアンサ信号を受信させ、その旨を報知することができる。これにより、ＣＯ警報器２が片方向通信しかできなくても、双方向通信可能なガス警報器３がＣＯ警報器２の代わりにガスメータ４からのメータアンサ信号を受信して、その旨を報知することができる。
【００２９】
なお、上述したガス警報器３としては分離型のものを用いていたが、これに限ったものではない。検出部３１と警報部３２とが一体のものであってもよい。
【００３０】
また、上述したガス警報器３は、１つのＣＯ警報器２からの第２警報器入力信号を受信できるようにしていたが、これに限ったものではない。複数の他の警報器からの第２警報器入力信号を受信できるようにしてもよい。
【００３１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３２】
２  ＣＯ警報器（他の警報器）
３  ガス警報器（警報器）
４  ガスメータ
３１  検出部（異常検出手段）
３３  マイコン（制御手段、報知手段）
３８  メータ通信部（通信手段）
３９  警報器通信部（受信手段）
【図１】
2015215652.tif 000003
【図２】
2015215652.tif 000004
【図３】
2015215652.tif 000005
【図４】
2015215652.tif 000006